【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
一対の電極間に、発光物質を含む第１の層と、ｎ型半導体を含む第２の層と、ｐ型半導体を含む第３の層と、を有し、前記第１の層と前記第２の層と前記第３の層とが順次積層され、前記第３の層が前記一対の電極のいずれか一方の電極に接するように設けられていることを特徴とする発光素子。
【請求項２】
請求項１に記載の発光素子において、
前記ｎ型半導体は、金属酸化物であることを特徴とする発光素子。
【請求項３】
請求項１または請求項２に記載の発光素子において、
前記ｎ型半導体は、酸化亜鉛、酸化錫、および酸化チタンからなる群より選ばれるいずれか一または二以上の化合物であることを特徴とする発光素子。
【請求項４】
一対の電極間に、発光物質を含む第１の層と、有機化合物および前記有機化合物に対して電子供与性を示す物質を含む第２の層と、ｐ型半導体を含む第３の層と、を有し、前記第１の層と前記第２の層と前記第３の層とが順次積層され、前記第３の層が前記一対の電極のいずれか一方の電極に接するように設けられていることを特徴とする発光素子。
【請求項５】
請求項４に記載の発光素子において、
前記有機化合物は、電子輸送性を示す有機化合物であることを特徴とする発光素子。
【請求項６】
請求項４または請求項５に記載の発光素子において、
前記有機化合物は、π共役骨格を含む配位子を有する金属錯体であることを特徴とする発光素子。
【請求項７】
請求項４乃至請求項６のいずれか一に記載の発光素子において、
前記電子供与性を示す物質は、アルカリ金属、アルカリ土類金属または希土類金属であることを特徴とする発光素子。
【請求項８】
請求項１乃至請求項７のいずれか一に記載の発光素子において、
前記ｐ型半導体は、金属酸化物であることを特徴とする発光素子。
【請求項９】
請求項１乃至請求項８のいずれか一に記載の発光素子において、
前記ｐ型半導体は、酸化バナジウム、酸化クロム、酸化モリブデン、酸化コバルト、および酸化ニッケルからなる群より選ばれるいずれか一または二以上の化合物であることを特徴とする発光素子。
【請求項１０】
一対の電極間に、発光物質を含む第１の層と、ｎ型半導体を含む第２の層と、有機化合物および前記有機化合物に対して電子受容性を示す物質を含む第３の層と、を有し、前記第１の層と前記第２の層と前記第３の層とが順次積層され、前記第３の層が前記一対の電極のいずれか一方の電極に接するように設けられていることを特徴とする発光素子。
【請求項１１】
請求項１０に記載の発光素子において、
前記ｎ型半導体は、金属酸化物であることを特徴とする発光素子。
【請求項１２】
請求項１０または請求項１１に記載の発光素子において、
前記ｎ型半導体は、酸化亜鉛、酸化錫、および酸化チタンからなる群より選ばれるいずれか一または二以上の化合物であることを特徴とする発光素子。
【請求項１３】
請求項１０乃至請求項１２のいずれか一に記載の発光素子において、
前記有機化合物は、ホール輸送性を示す有機化合物であることを特徴とする発光素子。
【請求項１４】
請求項１０乃至請求項１３のいずれか一に記載の発光素子において、
前記有機化合物は、芳香族アミン骨格を有する有機化合物であることを特徴とする発光素子。
【請求項１５】
一対の電極間に、発光物質を含む第１の層と、第１の有機化合物および前記第１の有機化合物に対して電子供与性を示す物質を含む第２の層と、第２の有機化合物および前記第２の有機化合物に対して電子受容性を示す物質を含む第３の層と、を有し、前記第１の層と前記第２の層と前記第３の層とが順次積層され、前記第３の層が前記一対の電極のいずれか一方の電極に接するように設けられていることを特徴とする発光素子。
【請求項１６】
請求項１５に記載の発光素子において、
前記第１の有機化合物は、電子輸送性を示す有機化合物であることを特徴とする発光素子。
【請求項１７】
請求項１５または請求項１６に記載の発光素子において、
前記第１の有機化合物は、π共役骨格を含む配位子を有する金属錯体であることを特徴とする発光素子。
【請求項１８】
請求項１５乃至請求項１７のいずれか一に記載の発光素子において、
前記電子供与性を示す物質は、アルカリ金属、アルカリ土類金属または希土類金属であることを特徴とする発光素子。
【請求項１９】
請求項１５乃至請求項１８のいずれか一に記載の発光素子において、
前記第２の有機化合物は、ホール輸送性を示す有機化合物であることを特徴とする発光素子。
【請求項２０】
請求項１５乃至請求項１９のいずれか一に記載の発光素子において、
前記第２の有機化合物は、芳香族アミン骨格を有する有機化合物であることを特徴とする発光素子。
【請求項２１】
請求項１０乃至請求項２０のいずれか一に記載の発光素子において、
前記電子受容性を示す物質は、金属酸化物であることを特徴とする発光素子。
【請求項２２】
一対の電極間に、発光物質を含む第１の層と、有機化合物および金属を含む第２の層と、金属酸化物からなる第３の層と、を有し、前記第１の層と前記第２の層と前記第３の層とが順次積層され、前記第３の層が前記一対の電極のいずれか一方の電極に接するように設けられていることを特徴とする発光素子。
【請求項２３】
請求項２２に記載の発光素子において、
前記有機化合物は、電子輸送性を示す有機化合物であることを特徴とする発光素子。
【請求項２４】
請求項２２または請求項２３に記載の発光素子において、
前記有機化合物は、π共役骨格を含む配位子を有する金属錯体であることを特徴とする発光素子。
【請求項２５】
一対の電極間に、発光物質を含む第１の層と、第１の有機化合物および金属を含む第２の層と、前記第１の有機化合物とは異なる第２の有機化合物および金属酸化物を含む第３の層と、を有し、前記第１の層と前記第２の層と前記第３の層とが順次積層され、前記第３の層が前記一対の電極のいずれか一方の電極に接するように設けられていることを特徴とする発光素子。
【請求項２６】
請求項２５に記載の発光素子において、
前記第１の有機化合物は、電子輸送性を示す有機化合物であることを特徴とする発光素子。
【請求項２７】
請求項２５または請求項２６に記載の発光素子において、
前記第１の有機化合物は、π共役骨格を含む配位子を有する金属錯体であることを特徴とする発光素子。
【請求項２８】
請求項２５乃至請求項２７のいずれか一に記載の発光素子において、
前記第２の有機化合物は、ホール輸送性を示す有機化合物であることを特徴とする発光素子。
【請求項２９】
請求項２５乃至請求項２８のいずれか一に記載の発光素子において、
前記第２の有機化合物は、芳香族アミン骨格を有する有機化合物であることを特徴とする発光素子。
【請求項３０】
請求項２２乃至請求項２９のいずれか一に記載の発光素子において、
前記金属は、アルカリ金属、アルカリ土類金属または希土類金属であることを特徴とする発光素子。
【請求項３１】
請求項２２乃至請求項３０のいずれか一に記載の発光素子において、
前記金属酸化物は、酸化バナジウム、酸化クロム、酸化モリブデン、酸化コバルト、および酸化ニッケルからなる群より選ばれるいずれか一または二以上の化合物であることを特徴とする発光素子。
【請求項３２】
請求項１乃至請求項３１のいずれか一に記載の発光素子において、
前記一対の電極のうち前記第３の層に接する電極が、陰極であることを特徴とする発光素子。
【請求項３３】
請求項１乃至請求項３２のいずれか一に記載の発光素子において、
前記一対の電極のうち前記第３の層に接する電極が、スパッタリング法によって形成された導電物から成ることを特徴とする発光素子。
【請求項３４】
請求項１乃至請求項３３のいずれか一に記載の発光素子において、
前記一対の電極のうち前記第３の層に接する電極は、可視光を透過できる導電物を用いて形成されていることを特徴とする発光素子。